(57)【要約】【課題】内装仕上げ材を支持する内装支持体側に相対移動が生じても、その影響を内装仕上げ材に及ぼさないようにすることで、内装仕上げ面の外観品質を良好に維持することができる建物の内装構造を得る。【解決手段】床大梁２８の上フランジ２８Ｂには床下地材３６が固定されており、その上面には床仕上げ材５８が固定された仕上げ下地４０が、水平方向に相対移動可能に留め付けられている。また、隣接する仕上げ下地４０の接続端部４０Ａ同士は緊結楔４４によって相対移動しないように連結されている。【選択図】図１
2009102832.tif 000002
【特許請求の範囲】
【請求項１】
建物構造体の接続部に適用される建物の内装構造であって、
建物構造体の躯体を構成する建物構造材を含んで構成された内装支持体と、
内装仕上げ面を構成する内装仕上げ材を含んで構成された内装仕上げ体と、
前記内装仕上げ体が前記内装支持体に対して内装仕上げ面に直交する方向には相対移動せずかつ内装仕上げ面に沿った方向には相対移動するように、内装仕上げ体と内装支持体とを連結する連結手段と、
を有することを特徴とする建物の内装構造。
【請求項２】
前記建物構造体の接続部において隣接する建物構造材に対してそれぞれ設けられる前記内装仕上げ体の隣接端部同士は、内装仕上げ面に沿った方向への相対移動を拘束する緊結部材によって緊結されている、
ことを特徴とする請求項１記載の建物の内装構造。
【請求項３】
前記内装仕上げ体が備えかつ前記内装仕上げ材が張り合わされる内装下地材の内装仕上げ材面側には、凹部が形成されていると共に、当該凹部の底面には貫通孔が形成されており、
さらに、前記凹部の内径よりも小さくかつ前記貫通孔の内径よりも大きい外径を有するワッシャを当該凹部の底面に配置すると共に、外径が貫通孔の内径よりも小さいねじ部材を貫通孔に挿入して内装下地材を内装支持体に固定した、
ことを特徴とする請求項１又は請求項２記載の建物の内装構造。
【請求項４】
前記貫通孔の内周面と前記ねじ部材の外周面とのクリアランス及び前記凹部の内周面と前記ワッシャの外周面とのクリアランスを、予想される前記建物構造材の相対移動量よりも大きく設定した、
ことを特徴とする請求項３記載の建物の内装構造。
【請求項５】
前記連結手段は、内装仕上げ体の内装仕上げ面と反対側の面に配設されると共に一部が内装支持体の建物構造材にオーバーラップするように配置され、当該一部における建物構造材との対向面に建物構造材に対して摺動又は転動可能な滑り機構を備えた金具によって構成されている、
ことを特徴とする請求項１又は請求項２記載の建物の内装構造。
【請求項６】
前記滑り機構は、前記建物構造材側へ膨らんだ突起部、前記建物構造材に対する前記金具の摩擦抵抗よりも摩擦抵抗が小さい低摩擦部材又はベアリングによって構成されている、
ことを特徴とする請求項５記載の建物の内装構造。
【発明の詳細な説明】
【技術分野】
【０００１】
本発明は、内装仕上げ材の外観品質に配慮した建物の内装構造に関する。
【背景技術】
【０００２】
下記特許文献１には、隣接する建物ユニットの連結部分の床仕上げ材を施工現場で容易に配設するための構造が開示されている。簡単に説明すると、まず、連結部分の床仕上げ面側に形成された所定幅の隙間と同一幅の床仕上げ材を予め用意しておく。この際、床仕上げ材の床仕上げ面側に所定の間隔で切れ込みを設けておき、円弧状に撓むことが可能な状態にする。そして、建築現場で、建物ユニットの連結部分の隙間に、床仕上げ材を撓ませた状態で装着させる。続いて、床仕上げ面側を小槌で叩き込んで床仕上げ材をフラットな状態にして、装着作業を完了させる。
【特許文献１】特開２００１−９０３２７号公報
【発明の開示】
【発明が解決しようとする課題】
【０００３】
しかしながら、上記特許文献１に開示された先行技術による場合、以下に説明する点において改良の余地がある。
【０００４】
すなわち、環境変化や経時変化により、床仕上げ材が伸縮することがある。また、構造躯体である建物ユニットの隣接するフレーム同士は部分的に緊結されているものの、床梁同士がその全長に亘って緊結されている訳ではないので、地震や風荷重等の大きな外力が作用した際に、隣接するフレームがそれぞれ水平方向へ変位し、それに伴い床梁に固定されている床仕上げ材も追従して変位する。これらのため、ユニット接続部において、隣接する床仕上げ材間に隙間を生じさせたり、逆にユニット接続部が縮まり、床鳴りや床仕上げ材の突き上げ（浮き上がり）を生じさせることがある。
【０００５】
なお、以上のことは、壁側や天井側においても、起こり得る。
【０００６】
本発明は上記事実を考慮し、内装仕上げ材を支持する内装支持体側に相対移動が生じても、その影響を内装仕上げ材に及ぼさないようにすることで、内装仕上げ面の外観品質を良好に維持することができる建物の内装構造を得ることが目的である。
【課題を解決するための手段】
【０００７】
請求項１に係る本発明は、建物構造体の接続部に適用される建物の内装構造であって、建物構造体の躯体を構成する建物構造材を含んで構成された内装支持体と、内装仕上げ面を構成する内装仕上げ材を含んで構成された内装仕上げ体と、前記内装仕上げ体が前記内装支持体に対して内装仕上げ面に直交する方向には相対移動せずかつ内装仕上げ面に沿った方向には相対移動するように、内装仕上げ体と内装支持体とを連結する連結手段と、を有することを特徴とする。
【０００８】
請求項２に係る本発明は、請求項１記載の建物の内装構造において、前記建物構造体の接続部において隣接する建物構造材に対してそれぞれ設けられる前記内装仕上げ体の隣接端部同士は、内装仕上げ面に沿った方向への相対移動を拘束する緊結部材によって緊結されている、ことを特徴とする。
【０００９】
請求項３に係る本発明は、請求項１又は請求項２記載の建物の内装構造において、前記内装仕上げ体が備えかつ前記内装仕上げ材が張り合わされる内装下地材の内装仕上げ材面側には、凹部が形成されていると共に、当該凹部の底面には貫通孔が形成されており、さらに、前記凹部の内径よりも小さくかつ前記貫通孔の内径よりも大きい外径を有するワッシャを当該凹部の底面に配置すると共に、外径が貫通孔の内径よりも小さいねじ部材を貫通孔に挿入して内装下地材を内装支持体に固定した、ことを特徴とする。
【００１０】
請求項４に係る本発明は、請求項３記載の建物の内装構造において、前記貫通孔の内周面と前記ねじ部材の外周面とのクリアランス及び前記凹部の内周面と前記ワッシャの外周面とのクリアランスを、予想される前記建物構造材の相対移動量よりも大きく設定した、ことを特徴とする。
【００１１】
請求項５に係る本発明は、請求項１又は請求項２記載の建物の内装構造において、前記連結手段は、内装仕上げ体の内装仕上げ面と反対側の面に配設されると共に一部が内装支持体の建物構造材にオーバーラップするように配置され、当該一部における建物構造材との対向面に建物構造材に対して摺動又は転動可能な滑り機構を備えた金具によって構成されている、ことを特徴とする。
【００１２】
請求項６に係る本発明は、請求項５記載の建物の内装構造において、前記滑り機構は、前記建物構造材側へ膨らんだ突起部、前記建物構造材に対する前記金具の摩擦抵抗よりも摩擦抵抗が小さい低摩擦部材又はベアリングによって構成されている、ことを特徴とする。
【００１３】
請求項１記載の本発明によれば、内装支持体と内装仕上げ体とは、連結手段によって内装仕上げ面に対して直交する方向には相対移動せず、内装仕上げ面に沿った方向には相対移動可能となるように連結されているので、内装支持体側に生じた相対移動が内装仕上げ体側にダイレクトに伝達されることがなくなる。つまり、内装支持体側に相対移動が生じた場合に、内装仕上げ材側が追従移動することがなくなる。従って、内装支持体側の相対移動の影響が内装仕上げ材側の内装仕上げ材に及ぶことは全くなくなるか、殆どなくなる。
【００１４】
請求項２記載の本発明によれば、建物構造体の接続部においては、建物構造材が隣接して配置されており、各建物構造材には内装仕上げ体がそれぞれ設けられている。
【００１５】
ここで、各内装仕上げ体の隣接端部同士は緊結部材によって緊結されているので、内装仕上げ面に沿った方向への相対移動が拘束される。このため、内装仕上げ体の隣接端部同士が、内装支持体側の相対移動に引き摺られて接近又は離間する方向へ移動するのを防止又は抑制することができる。
【００１６】
請求項３記載の本発明によれば、ワッシャを介そうした状態でねじ部材で内装下地材を内装支持体側に固定することとしたので、ワッシャ又はねじ部材の外径によって相対移動時の許容変位量を規制することができる。
【００１７】
請求項４記載の本発明によれば、貫通孔の内周面とねじ部材の外周面とのクリアランス及び凹部の内周面とワッシャの外周面とのクリアランスを、予想される建物構造材の相対移動量よりも大きく設定したので、内装支持体に比較的大きな相対移動が生じたとしても、当該相対移動を吸収することができる。
【００１８】
請求項５記載の本発明によれば、連結手段が建物構造材に対して摺動又は転動可能な滑り機構を備えた金具によって構成されているので、内装仕上げ体側に凹部を形成する必要がない。従って、内装仕上げ材の裏面側に凹凸が生じず、平滑な面によって内装仕上げ面が支持される。
【００１９】
請求項６記載の本発明によれば、滑り機構は、前記建物構造材側へ膨らんだ突起部、前記建物構造材に対する前記金具の摩擦抵抗よりも摩擦抵抗が小さい低摩擦部材又はベアリングによって構成されているので、内装支持体に対して内装仕上げ体を極めて円滑に相対移動させることができる。
【発明の効果】
【００２０】
以上説明したように、請求項１記載の本発明に係る建物の内装構造は、内装仕上げ材を支持する内装支持体側に相対移動が生じても、その影響を内装仕上げ材に及ぼさないようにすることで、内装仕上げ面の外観品質を良好に維持することができるという優れた効果を有する。
【００２１】
請求項２記載の本発明に係る建物の内装構造は、内装支持体側の相対移動による影響が内装仕上げ材に及ぶのを防止又は抑制することができるという優れた効果を有する。
【００２２】
請求項３記載の本発明に係る建物の内装構造は、簡単な構成で内装支持体の相対移動時の許容変位量を調整することができるという優れた効果を有する。
【００２３】
請求項４記載の本発明に係る建物の内装構造は、内装仕上げ体に比較的大きな相対移動が生じたとしても、内装仕上げ部材側への影響を排除することができるという優れた効果を有する。
【００２４】
請求項５記載の本発明に係る建物の内装構造は、内装仕上げ材を平滑な面によって支持することができるので、内装仕上げ面上を歩いた際に、違和感を生じないという優れた効果を有する。
【００２５】
請求項６記載の本発明に係る建物の内装構造は、内装支持体に対して内装仕上げ材を極めて円滑に相対移動させることができるので、相対移動時に異音が生じるのを防止又は極力抑制することができるという優れた効果を有する。
【発明を実施するための最良の形態】
【００２６】
〔第１実施形態〕
以下、図１〜図３を用いて、本発明に係る建物の内装構造の第１実施形態について説明する。
【００２７】
図３には、ユニット建物の概略斜視図が示されている。この図に示されるように、建物としてのユニット建物１０は、基礎１２と、基礎１２上に複数個の建物構造体としての建物ユニット１４を据付けることにより構成された一階部分１６と、一階部分１６の上に複数個の建物ユニット１４を据付けることにより構成された二階部分１８と、二階部分１８の上に複数個の屋根ユニット（図示省略）を据付けることにより構成された屋根部分（図示省略）と、によって構成されている。なお、この実施形態では、一階部分１６及び二階部分１８を構成する建物ユニット１４はいずれも同一サイズの箱型ユニットとされているが、住宅プランに応じてハーフサイズ等の種々のサイズの箱型ユニット並びにカットユニット等の異形ユニットが使用される。
【００２８】
図１には、上記ユニット建物１０のＡ線矢視部（即ち、隣接する建物ユニット１４の床接続部２０）の拡大断面図が示されている。さらに、図２には、図１のビス部の詳細断面図が示されている。
【００２９】
これらの図に示されるように、各建物ユニット１４は、上下に平行に配置された床パネル２２及び天井パネル２４と、これらの床パネル２２、天井パネル２４間の屋外側に配置される複数枚の外壁パネル２６と、必要に応じて設置される図示しない内壁パネルと、を含んで構成されている。床パネル２２は、長短二種類の建物構造材としての床大梁２８を矩形枠状に配置すると共に長辺側の一対の床大梁２８間に所定の間隔で架け渡された複数の床小梁（図示省略）と、によって構成された床フレーム３０と、この床フレーム３０の上面側に留め付けられる床板部３２と、によって構成されている。
【００３０】
床大梁２８は、溝形鋼で構成されている。建物ユニット１４が隣接して配置された状態では、一方の建物ユニット１４側の床大梁２８のウェブ２８Ａと他方の建物ユニット１４側の床大梁２８のウェブ２８Ａとが、隙間３４をあけて対向して配置されている。
【００３１】
各建物ユニット１４内で対向する一対の床大梁２８の上フランジ２８Ｂ間には、床下地材３６が図示しないビス等により固定されている。従って、床大梁２８が変位すると、それに伴って床下地材３６は一体に変位する。なお、これらの床大梁２８及び床下地材３６が、本発明における内装支持体に相当する。また、隣接する建物ユニット１４の床接続部２０において対向する床大梁２８の上フランジ２８Ｂ間には、両者の隙間３４を覆う程度の幅を有する床下地材３８が図示しないビス等により固定されている。
【００３２】
さらに、上記床下地材３６の上面には、床下地材３６よりも板厚が薄い仕上げ下地（中間層）４０が載置されている。なお、仕上げ下地４０は、狭幅の床下地材３８の中間部まで延設されている。そして、隣接する仕上げ下地４０の接続端部４０Ａには台形状の貫通孔４２が相互に連通するように形成されており、双方の連通孔４２内に二個の貫通孔４２を合わせた平面形状の緊結楔４４が嵌合されている。これにより、隣接する仕上げ下地４０の接続端部４０Ａが水平方向へずれないように連結されている。
【００３３】
また、上記仕上げ下地４０の接続端部４０Ａの近傍の上面には、平面視で円形の凹部（座ぐり部）４６が形成されている。凹部４６の内径は所定寸法に設定されており、その底面軸芯部には凹部４６の内径よりも小径とされた貫通孔４８が形成されている。この凹部４６には、平面視で円形の滑りワッシャ５０が遊嵌されている。滑りワッシャ５０の外径は凹部４６の内径よりも小さくかつ貫通孔４８の内径よりも大きく設定されている。また、滑りワッシャ５０の厚さは凹部４６の深さよりも薄く設定されている。上記滑りワッシャ５０の軸芯部にビス５２が挿入され、貫通孔４８を貫通し、床下地材３６に螺入されている。ビス５２のねじ部の外径は貫通孔４８の内径よりも小さく設定されている。
【００３４】
従って、ビス５２が床下地材３６に螺入された状態では、ビス５２の外周面と貫通孔４８の内周面との間に所定寸法Ｂ１のクリアランス５４が形成されている。また、滑りワッシャ５０の外周面と凹部４６の内周面との間にも所定寸法Ｂ２のクリアランス５６が形成されている。各クリアランス５４、５６は、地震時等に予想される床大梁２８の水平方向への相対移動量よりも長く設定されている。なお、上記構成のうち、凹部４６、貫通孔４８、滑りワッシャ５０、及びビス５２が、本発明における連結手段に相当する。
【００３５】
上述した仕上げ下地４０の上面には、床仕上げ材５８が張り合わされている。床仕上げ材５８が張り合わされた状態では、凹部４６は隠蔽されるようになっている。なお、この床仕上げ材５８及び仕上げ下地４０が、本発明における内装仕上げ体に相当する。
【００３６】
（作用・効果）
次に、本実施形態の作用並びに効果について説明する。
【００３７】
例えば、地震荷重や風荷重によって、建物ユニット１４の床大梁２８に水平方向への相対移動が生じた場合、それに伴って床大梁２８に固定された床下地材３６も水平方向へ変位する。つまり、床大梁２８と床下地材３６とで構成される内装支持体側は、一体となって水平方向へ変位する。
【００３８】
ここで、本実施形態では、床仕上げ材５８の下面側に仕上げ下地（中間層）４０を配置し、この仕上げ下地４０を滑りワッシャ５０及びビス５２を使って上下方向へは相対移動せずかつ水平方向へは相対移動可能に床下地材３６に留め付けたので、床下地材３６が水平方向へ相対移動しても、仕上げ下地４０はその変位を逃がすことができる。従って、仕上げ下地４０に固定された床仕上げ材５８が床下地材３６の相対移動の影響を受けることは全くないか、殆どない。その結果、本実施形態によれば、床接続部２０において、隣接する床仕上げ材５８間に隙間が生じたり、逆に床接続部２０が縮まり、床鳴りや床仕上げ材５８の突き上げ（浮き上がり）が生じることが防止又は抑制することができる。よって、床仕上げ材５８の内装仕上げ面の外観品質を良好に維持することができる。
【００３９】
なお、以上のことは、環境変化や経年変化により床下地材３６に伸縮が生じた場合にも、同様に当てはまる。
【００４０】
また、本実施形態では、仕上げ下地４０の接続端部４０Ａ同士を緊結楔４４で緊結したので、仕上げ下地４０の内装仕上げ面に沿った方向への相対移動が拘束される。このため、仕上げ下地４０の接続端部４０Ａ同士が、床下地材３６の相対移動に引き摺られて接近又は離間する方向へ移動するのを防止又は抑制することができる。よって、床下地材３６側の相対移動による影響が仕上げ下地４０ひいては床仕上げ材５８に及ぶのを防止又は抑制することができる。
【００４１】
さらに、本実施形態では、滑りワッシャ５０を介そうした状態でビス５２で仕上げ下地４０を床下地材３６側に水平方向へ相対移動可能に固定することとしたので、滑りワッシャ５０又はビス５２の外径によって相対移動時の許容変位量を規制することができる。従って、簡単な構成で床下地材３６の相対移動時の許容変位量を調整することができる。
【００４２】
加えて、本実施形態では、貫通孔４８の内周面とビス５２の外周面とのクリアランス５４及び凹部４６の内周面と滑りワッシャ５０の外周面とのクリアランス５６を、予想される床大梁２８の相対移動量よりも大きく設定したので、床大梁２８及び床下地材３６に比較的大きな相対移動が生じたとしても、その相対移動を吸収することができる。
【００４３】
〔第２実施形態〕
次に、図４を用いて、本発明に係る建物の内装構造の第２実施形態について説明する。なお、前述した第1実施形態と同一構成部分については、同一番号を付してその説明を省略する。
【００４４】
図４に示されるように、この第２実施形態では、床下地材７０を直接床大梁２８の上フランジ２８Ｂに対して上下方向へは相対移動せずかつ水平方向には相対移動可能に留め付けた点に特徴がある。
【００４５】
すなわち、床下地材７０の接続端部７０Ａの上面側には、凹部４６及び貫通孔４８が形成されている。そして、床大梁２８の上フランジ２８Ｂから立設されたスタッドボルト７２を貫通孔４８に通して滑りワッシャ５０を介してナット７４で所定トルクで締め付けることにより、上下方向には荷重を伝達しかつ水平方向には荷重を逃がして床大梁２８の水平方向移動に追従しないようになっている。
【００４６】
（作用・効果）
上記構成によっても、地震荷重や風荷重によって床大梁２８が水平方向へ変位すると、床下地材７０が滑りワッシャ５０の作用によって床大梁２８の上フランジ２８Ｂに対して水平方向へ相対移動するので、第１実施形態と同様の作用・効果が得られる。
【００４７】
また、本実施形態によれば、床仕上げ材５８を床大梁２８に対して上下方向には相対移動せずかつ水平方向には相対移動可能にスタッドボルト７２とナット７４で直接留め付けるので、後述する第３実施形態の構成に比べて、取付状態を安定させることができる。
【００４８】
〔第３実施形態〕
次に、図５を用いて、本発明に係る建物の内装構造の第３実施形態について説明する。なお、前述した第1実施形態等と同一構成部分については、同一番号を付してその説明を省略する。
【００４９】
図５に示されるように、この第３実施形態では、金具としてのクリップ８０を用いて床下地材３６を床大梁２８に対して上下方向へは相対移動せず、かつ水平方向には相対移動可能に留め付けた点に特徴がある。
【００５０】
具体的には、床下地材３６の接続端部３６Ａの裏面側には、側面視で段差形状のクリップ８０の基端部８０Ａがビス８１で固定されている。クリップ８０の先端部８０Ｂは自由端とされ、その上面には略半球状の滑り機構としての滑り突起８２が一体に形成されている。そして、クリップ８０の先端部８０Ｂの滑り突起８２と床下地材３６の下面との間に、床大梁２８の上フランジ２８Ｂが挿入されている。
【００５１】
なお、クリップ８０に床大梁２８の上フランジ２８Ｂが差し込まれる前のクリップ８０の自然状態では、滑り突起８２の上端と床下地材３６の下面との距離は、床大梁２８の上フランジ２８Ｂの板厚よりも短く、かつ先端部８０Ｂの上面と床下地材３６の下面との距離は、床大梁２８の上フランジ２８Ｂの板厚よりも長く設定されている。
【００５２】
（作用・効果）    
上記構成によっても、地震荷重や風荷重によって床大梁２８が水平方向へ変位すると、床下地材３６が床大梁２８の上フランジ２８Ｂに対して水平方向へ相対移動するので、第１実施形態と同様の作用・効果が得られる。
【００５３】
また、床下地材３６の上面に凹凸が生じないので、平滑な面によって床仕上げ材５８が支持される。よって、床仕上げ材５８上を歩いた際に、違和感を生じない。
【００５４】
さらに、滑り突起８２によって滑り機構を構成したので、床大梁２８の上フランジ２８Ｂに対して床仕上げ材５８を極めて円滑に相対移動させることができる。その結果、床大梁２８の上フランジ２８Ｂに対する床下地材３６の相対移動時に異音が生じるのを防止又は極力抑制することができる。
【００５５】
なお、上記構成では、クリップ８０の先端部８０Ｂの上面に滑り突起８２を設ける構成を採ったが、これに限らず、テフロン（登録商標）加工等による低摩擦材をクリップの先端部に施したり、或いは、クリップの先端部にベアリングを装着させる等の構成を採ってもよい。
【００５６】
また、上記構成では、金具としてばね性を持たせた挟み金物であるクリップ８０を用いたが、形状・構造が異なる金具を用いてもよい。
【００５７】
〔本実施形態の補足説明〕
（１）  上述した実施形態では、ユニット住宅等のユニット建物の床構造に対して本発明を適用したが、これに限らず、ユニット建物以外の建物に対して本発明を適用してもよい。また、本実施形態では、建物ユニットの接続部の床構造に対して本発明を適用したが、これに限らず、壁構造に本発明を適用してもよいし、天井構造に対して本発明を適用してもよい。
【００５８】
（２）  上述した実施形態では、緊結部材として緊結楔４４を用いたが、これに限らず、本実継ぎ、合いじゃくり継ぎ等の他の継手構造を用いてもよい。
【図面の簡単な説明】
【００５９】
【図１】第１実施形態に係るユニット建物の概略斜視図である。
【図２】図１に示されるユニット建物のＡ線矢視部（即ち、隣接する建物ユニットの床接続部）の拡大断面図である。
【図３】図１に示されるビス部の詳細断面図である。
【図４】第２実施形態に係る建物の内装構造の要部を示す図３に対応する詳細断面図である。
【図５】第３実施形態に係る建物の内装構造の要部を示す図３に対応する詳細断面図である。
【符号の説明】
【００６０】
１０      ユニット建物（建物）
１４      建物ユニット（建物構造体）
２０      床接続部
２８      床大梁（建物構造材、内装支持体）
３６      床下地材（内装支持体）
３８      床下地材（内装支持体）
４０      仕上げ下地（内装仕上げ体）
４０Ａ    接続端部（隣接端部）
４４      緊結楔（緊結部材）
４６      凹部（連結手段）
４８      貫通孔（連結手段）
５０      滑りワッシャ（連結手段）
５２      ビス（連結手段、ねじ部材）
５８      床仕上げ材（内装仕上げ材、内装仕上げ体）
７０      床下地材（内装仕上げ体）
７２      スタッドボルト（連結手段、ねじ部材）
７４      ナット（連結手段）
８０      クリップ（金具）
８０Ｂ    先端部（金具の一部）
８２      滑り突起（滑り機構）
【図１】
2009102832.tif 000003
【図２】
2009102832.tif 000004
【図３】
2009102832.tif 000005
【図４】
2009102832.tif 000006
【図５】
2009102832.tif 000007